(57)【要約】      （修正有）【課題】装飾用部材で覆われた前面立ち上がり内及び棚本体の底に溜まる水を水抜きするための排水部を、意匠性、強度及び安全性を損なわないようにして設けた浴室用収納棚を提供する。【解決手段】外周を上面側に立ち上げられた立ち上がり部を備えた棚本体２と、棚本体２の前面立ち上がり部に固定される装飾用部材３とから成り、装飾用部材３の嵌合部８を前面立ち上がり部６の前面壁１６の嵌合部７に嵌合し、嵌合部７より後方に位置する前面立ち上がり部６の後壁部１７の下部を切り欠いて排水部５１を設け、後壁部１７に沿って設けられた棚本体２の底面１１の溝４５は排水部５１に連通し、前面立ち上がり部６の排水と棚本体の底面１１の排水の両方を行うように形成した。【選択図】図３
2015002888.tif 000002
【特許請求の範囲】
【請求項１】
外周を上面側に立ち上げられた立ち上がり部を備えた棚本体と、棚本体の前面立ち上がり部に固定される装飾用部材とからなる浴室用収納棚において、前面立ち上がり部は装飾用部材と嵌合する嵌合部と嵌合部よりも後方に位置する後壁部を備え、後壁部の下部の一部を切り欠いて排水部を設けることを特徴とする浴室用収納棚。
【請求項２】
請求項１に記載の浴室用収納棚において、排水部から前面立ち上がり部の排水と棚本体の排水を両方行うことを特徴とする浴室用収納棚。
【請求項３】
請求項１又は２に記載の浴室用収納棚において、棚本体の底面には壁部の棚部側端部に沿って溝が設けられており、排水部は溝と連通するように形成されていることを特徴とする浴室用収納棚。
【請求項４】
請求項１から３のいずれかに記載の浴室用収納棚において、排水部は複数設けられ、複数の排水部間には嵌合部と壁部を繋ぐリブが設けられていることを特徴とする浴室用収納棚。
【請求項５】
請求項１から４のいずれかに記載の浴室用収納棚において、棚本体の底面に排水孔が設けられていることを特徴とする浴室用収納棚。
【発明の詳細な説明】
【技術分野】
【０００１】
本発明は、浴室の壁面に取り付けられる浴室用収納棚に関し、特に、収納棚の前面に装飾用部材を備える浴室用収納棚に関するものである。
【背景技術】
【０００２】
従来、浴室の壁面に取り付けられる浴室用収納棚において、浴室の壁面に取り付ける側（壁面側）に、装飾用部材を固着する構成が知られている。この固着構造としては、例えば、浴室用収納棚の壁面側に嵌合爪を設け、この嵌合爪に装飾用部材に設けた嵌合孔を嵌合して固着する構成等がある。
【０００３】
このように、従来、浴室用収納棚の壁面側に、装飾用部材を固着する構成が知られているが、浴室用収納棚の前面側に装飾用部材を備えるという構成は知られていない。収納棚の前面側に装飾用部材を設けると、収納棚に斬新的な意匠を付与することができ、見栄えが良くなる。
【０００４】
従来例のように、浴室用収納棚の嵌合爪に装飾用部材を嵌合するような構成を、浴室用収納棚の前面側に装飾用部材を固着する固着構造に採用した場合は、嵌合爪が嵌合孔から露出した状態の嵌合部が、前方から見えてしまい、見栄えが悪い。
【０００５】
従来、収納棚の前面側に収納棚本体とは別の部材を設けた構成は知られている（特許文献１〜３）が、別の部材は、いずれも支持バンドや転倒防止ガード等の機能的な部材であって、装飾用部材を設ける構成ではない。
【０００６】
このような従来の問題を解決するために、本発明者は、棚本体の前面立ち上がり部に、装飾用部材を上方から嵌めて固定する浴室用収納棚を発明し、別途出願した。このように棚本体の前面立ち上がり部に装飾用部材を固定した構成については、本願発明でも前提となる構成であるので、後記する本願の実施例において図１を参照して説明する。
【０００７】
ところで、浴室用収納棚には水が溜まりやすいが、このような溜まった水を抜くために水抜き用の孔を設けた構成は知られている。
【０００８】
例えば、棚を壁に取り付ける掛止め具を覆う化粧カバーの下部に、水抜き用孔が形成されている構成は知られている（特許文献４参照）。また、棚部材の後ろの壁部を横切って横穴を形成することで、棚部材のプレ−ト上に溜まる水が横穴を通って棚部材の後方から流下する構成は知られている（特許文献５参照）。
【先行技術文献】
【特許文献】
【０００９】
【特許文献１】特開平１１−３５０７５８号公報
【特許文献２】特開２００５−１３１１６５号公報
【特許文献３】特許第４２２７９３７号公報
【特許文献４】特開平８−１９４８６号公報
【特許文献５】特許第４３７７８０７号公報
【発明の概要】
【発明が解決しようとする課題】
【００１０】
上記のとおり、収納棚の前面側に装飾用部材を設けた浴室用収納棚は、意匠性が向上する。このような浴室用収納棚では、装飾用部材は、重厚感を出すために、また棚本体の前面立ち上がり部に上方から差し込んで固着するために、差し込みしろが必要であることから、上方から平面視し、装飾用部材の頂部の前後方向の幅寸法は、ある程度の大きさが必要である。
【００１１】
このような装飾用部材の構成上の必要性に応じるために、棚本体の前面立ち上がり部を単純に厚くすると、棚本体を成形する際に、成形時間がより長くかかったり、前面立ち上がり部は棚本体の他の部分（例えば、左右の側部立ち上がり部等）と、肉厚に偏りが生じ、成形後に不要な応力によって大きな反りが生じたりするという問題がある。
【００１２】
一方、このような問題を解決するために、棚本体の前面立ち上がり部を、より薄肉の前壁部と後壁部を有し、前壁部と後壁部の間に補強用のリブを設けて成る構成とすると、使用中に、前壁部、後壁部及びリブで囲まれる空間内に水が溜まるという問題が生じる。
【００１３】
棚本体の底部や前面立ち上がり部の一部を切り欠いて排水孔を形成してもよいが、前面立ち上がり部の強度が低下したり、或いは切り欠いた部分から装飾用部材が露出することによる意匠性の低下や安全性が低下する（切り欠いた部分から装飾用部材の端部に直接、指等が接触する危険等）等の問題が生じる。
【００１４】
また、前面立ち上がり部に加えて装飾用部材の一部も切り欠いて排水孔を形成するような場合は、見栄えが悪いという問題も生じる。
【００１５】
本発明は、棚の前面側に装飾用部材を設けた浴室用収納棚において、前面立ち上がり部及び棚本体に溜まった水を排水することを課題とする。
【課題を解決するための手段】
【００１６】
本発明は上記課題を解決するために、外周を上面側に立ち上げられた立ち上がり部を備えた棚本体と、棚本体の前面立ち上がり部に固定される装飾用部材とからなる浴室用収納棚において、前面立ち上がり部は装飾用部材と嵌合する嵌合部と嵌合部よりも後方に位置する後壁部を備え、後壁部の下部の一部を切り欠いて排水部を設けることを特徴とする浴室用収納棚を提供する。
【００１７】
排水部から前面立ち上がり部の排水と棚本体の排水を両方行う構成とすることが好ましい。
【００１８】
棚本体の底面には壁部の棚部側端部に沿って溝が設けられており、排水部は溝と連通するように形成されている構成とすることが好ましい。
【００１９】
排水部は複数設けられ、複数の排水部間には嵌合部と壁部を繋ぐリブが設けられている構成とすることが好ましい。
【００２０】
棚本体の底面に排水孔が設けられている構成とすることが好ましい。
【発明の効果】
【００２１】
本発明に係る浴室用収納棚によると次のような効果が生じる。
（１）前面立ち上がり部に装飾用部材を固定する構成において、前面立ち上がり部及び棚本体の底面に溜まった水を効果的に排水できる。
（２）前面立ち上がり部における溝の前面側に位置する後壁部の下部を切り欠いて排水部を形成したので、切り欠いて形成した排水部を通して装飾用部材の端部が露出するようなことがなく、使用者の安全性を損なわず、意匠性も低下しない。
【図面の簡単な説明】
【００２２】
【図１】本発明に係る浴室用収納棚の実施例を説明する斜視図であり、（ａ）は浴室用収納棚の全体構成を示し、（ｂ）は棚本体を示し、（ｃ）は装飾用部材を示す。
【図２】上記実施例の浴室用収納棚の前面立ち上がり部を説明する斜視図であり、（ａ）は上方斜め前方から見た図であり、（ｂ）は（ａ）の要部拡大図であり、（ｃ）は装飾用部材の後面部を水平に切断した状態で上方斜め後方から見た図である。
【図３】（ａ）は上記実施例の浴室用収納棚の排水部を説明する斜視図であり、（ｂ）は（ａ）の要部拡大図である。（ｃ）は装飾用部材を前面立ち上がり部に固定した状態の要部断面図である。
【図４】上記実施例の浴室用収納棚の変形例の２つの態様を説明する図である。
【図５】上記実施例の浴室用収納棚を浴室の壁に取り付けた使用例を示す図である。
【発明を実施するための形態】
【００２３】
本発明に係る浴室用収納棚を実施するための形態を、実施例に基づき図面を参照して、以下説明する。浴室用収納棚は、通常、浴室の壁面等に水平に取り付けられて使用されるが、本明細書では、浴室用収納棚の奥側（壁面側）を後側とし、浴室用収納棚の手前側を前側とし、浴室用収納棚を前方から見て左右を左右として説明する。
【実施例】
【００２４】
図１（ａ）は、本発明に係る浴室用収納棚の全体構成を示している。この浴室用収納棚１は、図１（ｂ）に示す棚本体２と、図１（ｃ）に示す装飾用部材３と、を備えている。
【００２５】
装飾用部材３を、棚本体２の前面立ち上がり部６に上方から差し込み、図３（ｃ）に示すように、前面立ち上がり部６に設けられた嵌合部７と、装飾用部材３に設けられた嵌合部８とを嵌め合わせて固定することで、浴室用収納棚１が組み立てられる。
【００２６】
本実施例の棚本体２は、樹脂で一体成形して製造されるが、樹脂又は樹脂以外の材料で形成してもよい、また別体で形成してもよい。棚本体２は、図１（ｂ）に示すように、底面１１の外周は、上面側に立ち上げられた立ち上がり部で囲まれている。立ち上がり部は、前面立ち上がり部６、後面立ち上がり部１２、左右の側面立ち上がり部１３とから成る。
【００２７】
前面立ち上がり部６は、左右の側面立ち上がり部１３の間に形成されており、図１（ｂ）、図２（ａ）、（ｃ）、図３（ａ）、（ｃ）に示すように、前壁部１６、後壁部１７及び嵌合部７を備えている。
【００２８】
前壁部１６及び嵌合部７と、後壁部１７とは、前後方向に間隔をおいて設けられている。そして、前壁部１６及び嵌合部７と、後壁部１７とは、図１（ｂ）に示すように、棚本体の横幅方向に間隔をおいて設けられた複数のリブ２１で繋がれ（結合され）ている。これによって、前壁部１６、後壁部１７及びリブ２１等で囲まれた空間２２が形成されている。なお、リブ２１は、複数ではなく１つ設けた構成でもよい。
【００２９】
前壁部１６は、図３（ａ）、（ｃ）に示すように、嵌合部７から上面側に立ち上がり、その前面側に立ち上がり平面部２３が形成されている。換言すると、前面立ち上がり部６の嵌合部７は、前壁部１６の下部に連続的に形成されている。
【００３０】
より具体的には、前面立ち上がり部６に設けられた嵌合部７は、前壁部１６の下端に連続して下方に突出する突出部２６と、前壁部１６の下部前面から前方に向かう水平部２７と、水平部２７から下方に向かう垂直部２８とから断面略Γ状に形成されている。
【００３１】
前壁部１６の前面側の上部には、図２（ａ）、図３（ａ）、（ｃ）に示すように、頂部に向けて後方に序々に湾曲したガイド面３１が形成されている。このガイド面３１は、後記するが、装飾用部材３を上方から前面立ち上がり部６に差し込む際に、装飾用部材３の嵌合部８を滑らかにガイドする。
【００３２】
後壁部１７は、図３（ａ）〜（ｃ）に示すように、棚本体２の底面１１から上方に立ち上がるように形成されている。後壁部１７の後面側には平面部３２が形成されている。なお、後壁部１７は、前面立ち上がり部６の嵌合部７の後方に位置するように設けられている。 
【００３３】
装飾用部材３は、図１（ｃ）、図３（ｃ）に示すように、前面部３５、後面部３６、頂部３７及び嵌合部８とから成り、その断面形状は、略コの字形状に形成されている。装飾用部材３は、本実施例では弾性を有する金属で形成され、前後方向に弾力的に拡開可能である。なお、装飾用部材３は、樹脂、樹脂メッキ等の材料で形成されていてもよく、その製造は、押し出し成形、その他の製法でもよい。
【００３４】
装飾用部材３の長手方向の長さ（左右方向の長さ）は、前面立ち上がり部６の長手方向の長さ（左右方向の長さであって、側面立ち上がり部１３の間の長さ）と同じである。従って、側面立ち上がり部１３の間において、前面立ち上がり部６に上方から差し込んで固定することで、前面立ち上がり部６を長手方向において完全にカバーできる。また、装飾用部材３の左右の側端面は、側面立ち上がり部１３の内面側に隠れて、外部に露出しない。
【００３５】
装飾用部材３の嵌合部８は、前面部３５の下端に連続して形成されており、装飾用部材３の嵌合部８は、図３（ｃ）に示すように、前面部３５の下端から後方に折り曲げられた水平な下面４０と、下面４０から上方かつ前方にＪ字状（又はレ字状）に折り返された上面４１とから成る。
【００３６】
棚本体２の底面１１には、図３（ａ）〜（ｃ）に示すように、後壁部１７の棚部側端部（後壁部１７の下端部４２の後面部）に沿って、溝４５が設けられている。この溝４５は、装飾用部材３の後面部３６の下端部４６を差し込んで係合することが可能な形状に形成されている。
【００３７】
棚本体２の底面１１は、図１（ｂ）に示すように、後方に向けて下方に傾斜した傾斜面として形成されている。底面１１の後端部は、底面１１における最下位となっており、排水用の長孔４７が左右方向に向けて伸びるように形成されている。
【００３８】
以上の構成から成る浴室用収納棚１において、本発明の特徴は、次のような構成の排水部５１を設けた点である。
【００３９】
排水部５１は、図２（ａ）、（ｂ）、図３（ａ）〜（ｃ）に示すように、後壁部１７の下部の一部を切り欠き、溝４５に連通するように形成される。ここで、「後壁部１７の下部」は、後壁部１７の下端部４２、及び前壁部１６と後壁部１７との間の底部５２を含む部分である。
【００４０】
本実施例では、排水部５１は、図１（ｂ）に示すように、後壁部１７の左右方向（長手方向）に間隔をおいて複数形成されている。例えば、リブ２１で区画された空間２２ごとに排水部５１を設ける構成としてもよい。
【００４１】
ところで、溝４５には、図２（ｃ）、図３（ｃ）に示すように、装飾用部材３の後面部３６の下端部４６が差し込まれているので、棚本体２の底面１１に溜まった水を排水部５１から排水するためには、装飾用部材３の後面部３６の下端部４６を切り欠いて溝４５と排水部５１を連通する構成が必要である。
【００４２】
そこで、図２（ｂ）、３（ｃ）に示すように、本実施例では、装飾用部材３の後面部３６の下端部４６にも切り欠き５３が形成されている。この切り欠き５３を通して、溝４５と排水部５１（後壁部１７の下部に形成された切り欠き）を連通する構成となっている。
【００４３】
（作用）
以上の構成から成る実施例の浴室用収納棚１の作用を説明する。図１（ｂ）、（ｃ）に示すように、互いに分離されている状態の棚本体２２と装飾用部材３を組み立てて、図１（ａ）に示すような浴室用収納棚１を組み立てる場合は、上方から装飾用部材３を、棚本体２２の前面立ち上がり部６に、外側からカバーするように、下方に向けて差し込む。
【００４４】
この差し込みの際に、装飾用部材３の嵌合部８は、前壁部１６のガイド面３１で前方に装飾用部材３の弾力に抗して撓うようにしてガイドされ、そのために、装飾用部材３は前後方向に拡開されながら下方に向けて差し込まれる。
【００４５】
装飾用部材３が下方まで差し込まれると、装飾用部材３の前面部３５及び後面部３６は前壁部１６の平面部２３及び後壁部１７の平面部３２に弾力的に押し当てられるようにして当接される。
【００４６】
そして、装飾用部材３の嵌合部８は、前面立ち上がり部６の嵌合部７に、図３（ｃ）に示すように、嵌合して係合される。また、装飾用部材３の後面部３６の下端は溝４５内に入り込んで係合され、その結果、装飾用部材３は前面立ち上がり部６に固定された状態となる。
【００４７】
前面立ち上がり部６内に溜まった水、具体的には、前壁部１６と後壁部１７との間において、底部５２及び嵌合部７の水平部２７の上面に溜まった水は、図３（ａ）、（ｃ）に示すように、排水部５１から排水される。
【００４８】
また、棚部、即ち棚本体２の底面１１及び溝４５に溜まった水は、図２（ｃ）、図３（ｃ）に示すように、装飾用部材３の切り欠き５３を通過して排水部５１から排水される。
【００４９】
要するに、本発明の排水部５１は、前面立ち上がり部６に溜まった水の排水と、棚本体２の底面１１及び溝４５に溜まった水の排水を両方行い、両排水のために共通の排水部として使用される。従って、排水部５１を数多く設ける必要がないので、構成が簡素化され、見栄えが悪くなったり、強度が落ちたりすることもない。
【００５０】
ところで、棚本体２の底面１１及び溝４５に溜まった水を排水するためには、溝４５自体の底に排水孔を形成する構成も考えられる。しかしながら、このような構成であると、排水孔から装飾用部材３の下端が露出して見え、使用者等が誤って排水孔に指を入れたりすると、装飾用部材３の下端に触れて、指を傷つける等の危険が生じる。
【００５１】
本発明に係る浴室用収納棚１の排水部５１は、溝４５の前側の後壁部１７の下部を切り欠く構成であり、溝４５の底に排水孔を形成していないので、上記のような危険は防止でき安全性が向上し、また下方から装飾用部材３の下端が露出して見えてしまうようなことはないので、見栄えを損なうようなこともない。
【００５２】
但し、装飾用部材３の下端が、指が触れても怪我しないように滑らかに加工されている場合や、下方から装飾用部材３の下端が露出して見えてもよいような場合は、溝４５の底にも排水孔を形成してもよい。
【００５３】
図５は、実施例１の浴室用収納棚１を浴室の壁４８に取り付けた使用例を示す図である。この使用例では、鏡４９の側方に３つの浴室用収納棚１が、浴室の壁４８に上下方向に３段となるように取り付けられている。５４は握りバーであり、５５は照明具である。
【００５４】
浴室用収納棚１は、このように浴室の壁４８に取り付けられて使用されるが、入浴者によって飛び散る湯水だけでなく、天井から滴る水滴等によって、浴室用収納棚１内に水が溜まるが、上記排水部５１によって効果的に排水される。また、浴室用収納棚１の下側が、特に浴槽に浸かっている際等には、入浴者の目に入りやすい。しかし、上記のとおり下方から装飾用部材３の下端が露出して見えてしまうようなことはないので、見栄えを損なうようなこともない。
【００５５】
（実施例の変形例）
上記実施例の浴室用収納棚１は、図１（ｂ）に示すように、棚本体２の底面１１は、後方に向けて下方に傾斜した傾斜面として形成され、底面１１における最下位となっている後端部に排水用の長孔４７が形成されている。
【００５６】
しかし、逆に、図４（ａ）に変形例として浴室用収納棚５０を示すように、棚本体２の底面１１は、前方に向けて下方に傾斜した傾斜面として形成され、底面１１における最下位となっている前端部（前面立ち上がり部６の後壁部１７の後側に隣接する底面１１の部分）５６に排水用の長孔４７が形成されている構成としてもよい。
【００５７】
なお、底面１１を前方に向けて下方に傾斜して形成した構成では、図４（ｂ）に別の変形例として浴室用収納棚５７を示すように、特に長孔４７等を設けることなく、上記排水部５１が棚板の底面１１に溜まった水を排水する排水孔として共用する構成としてもよい。
【００５８】
以上、本発明に係る浴室用収納棚を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５９】
本発明に係る浴室用収納棚は上記のような構成であるから、棚の上面に水が溜まるような浴室用収納棚、洗面用収納棚、それ以外の用途の収納棚にも適用可能である。
【符号の説明】
【００６０】
１  浴室用収納棚                         
２  棚本体                               
３  装飾用部材                           
６  前面立ち上がり部                     
７  前面立ち上がり部の嵌合部             
８  装飾用部材の嵌合部                   
１１  棚本体の底面                       
１２  後面立ち上がり部                   
１３  側面立ち上がり部                 
１６  前面立ち上がり部の前壁部           
１７  前面立ち上がり部の後壁部           
２１  リブ                               
２２  空間                               
２３  前壁部の平面部                     
２６  前面立ち上がり部の嵌合部の突出部   
２７  前面立ち上がり部の嵌合部の水平部   
２８  前面立ち上がり部の嵌合部の垂直部           
３１  前壁部のガイド面                   
３２  後壁部の平面部                     
３５  装飾用部材の前面部                 
３６  装飾用部材の後面部                 
３７  装飾用部材の頂部                   
４０  装飾用部材の嵌合部の下面           
４１  装飾用部材の嵌合部の上面           
４２  後壁部の下端部               
４５  溝                                 
４６  装飾用部材の後面部の下端部                 
４７  排水用の長孔
４８  浴室の壁
４９  鏡
５０  変形例の浴室用収納棚     
５１  排水部
５２  前壁部と後壁部との間の底部
５３  装飾用部材の後面部の下端部の切り欠き
５４  握りバー
５５  照明具
５６  底面の前端部
５７  別の変形例の浴室用収納棚
【図１】
2015002888.tif 000003
【図２】
2015002888.tif 000004
【図３】
2015002888.tif 000005
【図４】
2015002888.tif 000006
【図５】
2015002888.tif 000007